(57)【要約】【課題】放送される番組に関する情報をユーザ間で伝達する際の利便性を高める。【解決手段】放送受信装置１００は、放送波を受信するアンテナ１０２、選局を行うチューナ１０４、コンポーネントを分離する分離部１０６、音声コンポーネントをデコードするオーディオデコーダ１３０、音声を出力するスピーカ１５０、映像コンポーネントをデコードするビデオデコーダ１３２、表示処理を行うグラフィックＬＳＩ１４０、映像を出力する表示部１６０により、放送される番組を再生する。番組の再生中、ユーザから電子メールの生成要求を受け付けると、メール送信ユニット２０２は、再生中の番組に関する情報を含む電子メールを生成して送信する。【選択図】        図２
2004304428.tif 000002
【特許請求の範囲】
【請求項１】
放送を受信する受信部と、
受信した番組を再生する再生部と、
ユーザから電子メールの生成要求を受け付けたときに、前記再生部が再生中の番組に関する情報を含む電子メールを生成する生成部と、
前記生成部が生成した電子メールを送信する送信部と、
を備えることを特徴とする放送受信装置。
【請求項２】
放送を受信する受信部と、
受信した番組を再生する再生部と、
現在放送中または将来放送される予定の番組の情報をユーザに提示する番組情報提示部と、
前記番組情報提示部が提示した番組情報のうち、ユーザが選択した番組に関する情報を含む電子メールを生成する生成部と、
前記生成部が生成した電子メールを送信する送信部と、
を備えることを特徴とする放送受信装置。
【請求項３】
放送を受信する受信部と、
受信した番組を再生する再生部と、
電子メールを受信するメール受信部と、
前記メール受信部が番組に関する情報を含む電子メールを受信したときに、その情報をユーザに提示する提示部と、
ユーザから前記番組の選択指示を受け付けて、その番組の選局、視聴予約、または録画予約を行う処理部と、
を備えることを特徴とする放送受信装置。
【請求項４】
前記処理部は、前記受信部が受信した放送に含まれる番組配列情報の中から、ユーザが選択した番組に関する情報を取得してユーザに提示することを特徴とする請求項３に記載の放送受信装置。
【請求項５】
前記処理部は、ユーザが選択した番組が現在放送中の番組である場合は、前記再生部が再生する番組をその番組に切り替え、ユーザが選択した番組が将来放送される予定の番組である場合は、その番組の視聴予約または録画予約を行うことを特徴とする請求項３または４に記載の放送受信装置。
【請求項６】
前記処理部は、ユーザが選択した番組が現在放送中の番組である場合は、前記再生部が再生する番組をその番組に切り替え、ユーザが選択した番組が将来放送される予定の番組である場合は、前記番組配列情報の中からユーザが選択した番組に関する情報を取得してユーザに提示することを特徴とする請求項４に記載の放送受信装置。
【請求項７】
前記番組に関する情報は、前記番組を一意に識別可能な識別情報、前記番組の名称、前記番組を送出するサービスを一意に識別可能な識別情報、前記サービスの名称、前記番組の開始時刻、前記番組の継続時間、前記番組の終了時刻、および前記番組を説明したテキスト情報のうちいずれかを含むことを特徴とする請求項１から６のいずれかに記載の放送受信装置。
【発明の詳細な説明】
【０００１】
【発明の属する技術分野】
本発明は、放送受信装置に関し、とくに、放送される番組に関する情報をユーザ間で伝達する技術に関する。
【０００２】
【従来の技術】
近年、衛星を利用した一部の放送においてデジタル放送が開始されており、地上波放送のデジタル化も目前に迫っている。デジタル放送では、従来のアナログ放送におけるチャンネルに相当するものを「サービス」と呼び、所定の時間帯に放送される番組に相当するものを「イベント」と呼んでいる。デジタル放送においては、映像と音声からなるイベントを放送する本放送に並行して、サービスやイベントに関する付加情報を含む「番組配列情報（Ｓｅｒｖｉｃｅ  Ｉｎｆｏｒｍａｔｉｏｎ：ＳＩ）」が放送されている。番組配列情報は、「ＡＲＩＢ  ＳＴＤ−Ｂ１０」により定義されており、例えば、サービスを文字列で表現した「サービス名」、サービスの識別子である「サービス識別（ｓｅｒｖｉｃｅ＿ｉｄ）」、イベントを文字列で表現した「イベント名」、イベントの識別子である「イベント識別（ｅｖｅｎｔ＿ｉｄ）」、イベントの「開始時間」および「継続時間」、イベントの内容を説明した「番組記述」などが含まれる。
【０００３】
一方、一般的なデジタル放送受信機は、放送される番組配列情報に基づいて、受信機の画面上に「電子番組表（Ｅｌｅｃｔｒｉｃ  Ｐｒｏｇｒａｍ  Ｇｕｉｄｅ：ＥＰＧ）」を提示する機能を有する。電子番組表では、「サービス名」、「サービス識別」、「イベント名」等の情報が表示され、「イベント識別」の情報は、一般的にはユーザに表示されない。
【０００４】
【非特許文献１】
社団法人電波産業会（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：ＡＲＩＢ），「デジタル放送に使用する番組配列情報標準規格」（ＡＲＩＢ  ＳＴＤ−Ｂ１０），３．６版，社団法人電波産業会，平成１５年２月６日
【０００５】
【発明が解決しようとする課題】
本発明者は、パーソナルコンピュータや携帯端末を用いた電子メールの送受信サービスが広く普及している現状に鑑み、電子メールを利用してユーザ間で番組情報をやり取りする際の利便性を向上させる技術を想到するに至った。
【０００６】
本発明はこうした状況に鑑みてなされたものであり、その目的は、放送される番組に関する情報をユーザ間で伝達する際の利便性を高める技術の提供にある。
【０００７】
【課題を解決するための手段】
本発明のある態様は、放送受信装置に関する。この放送受信装置は、放送を受信する受信部と、受信した番組を再生する再生部と、ユーザから電子メールの生成要求を受け付けたときに、再生部が再生中の番組に関する情報を含む電子メールを生成する生成部と、生成部が生成した電子メールを送信する送信部と、を備えることを特徴とする。生成部が、再生中の番組に関する情報を自動的に取得して電子メールに付加することにより、番組に関する情報を調べて入力する手間からユーザを解放することができる。
【０００８】
本発明の別の態様も、放送受信装置に関する。この放送受信装置は、放送を受信する受信部と、受信した番組を再生する再生部と、現在放送中または将来放送される予定の番組の情報をユーザに提示する番組情報提示部と、番組情報提示部が提示した番組情報のうち、ユーザが選択した番組に関する情報を含む電子メールを生成する生成部と、生成部が生成した電子メールを送信する送信部と、を備えることを特徴とする。生成部が、番組情報の中からユーザが選択した番組に関する情報を自動的に取得して電子メールに付加することにより、番組に関する情報を調べて入力する手間からユーザを解放することができる。
【０００９】
本発明のさらに別の態様も、放送受信装置に関する。この放送受信装置は、放送を受信する受信部と、受信した番組を再生する再生部と、電子メールを受信するメール受信部と、メール受信部が番組に関する情報を含む電子メールを受信したときに、その情報をユーザに提示する提示部と、ユーザから番組の選択指示を受け付けて、その番組の選局、視聴予約、または録画予約を行う処理部と、を備えることを特徴とする。ユーザは、受信した電子メールに付加されている番組情報を選択するだけで、その番組の選局、視聴予約、録画予約などを行うことができるので、利便性の高いユーザインタフェースを実現することができる。
【００１０】
処理部は、受信部が受信した放送に含まれる番組配列情報の中から、ユーザが選択した番組に関する情報を取得してユーザに提示してもよい。処理部は、ユーザが選択した番組が現在放送中の番組である場合は、再生部が再生する番組をその番組に切り替え、ユーザが選択した番組が将来放送される予定の番組である場合は、その番組の視聴予約または録画予約を行ってもよい。処理部は、ユーザが選択した番組が現在放送中の番組である場合は、再生部が再生する番組をその番組に切り替え、ユーザが選択した番組が将来放送される予定の番組である場合は、番組配列情報の中からユーザが選択した番組に関する情報を取得してユーザに提示してもよい。
【００１１】
番組に関する情報は、番組を一意に識別可能な識別情報、番組の名称、番組を送出するサービスを一意に識別可能な識別情報、サービスの名称、番組の開始時刻、番組の継続時間、番組の終了時刻、および番組を説明したテキスト情報のうちいずれかを含んでもよい。電子メールには、番組（イベント）またはチャンネル（サービス）を識別するのに必要な情報が含まれていればよく、その他の情報は、電子メールに付加されてもよいし、電子メールの受信側で番組配列情報などから取得されてもよい。
【００１２】
なお、以上の構成要素の任意の組合せ、本発明の表現を方法、装置、システム、記録媒体、コンピュータプログラムなどの間で変換したものもまた、本発明の態様として有効である。
【００１３】
【発明の実施の形態】
図１は、実施の形態に係る放送システム１０の全体構成を示す。放送システム１０は、デジタル放送を送信する放送送信装置２０、デジタル放送を受信する放送受信装置１００ａおよび１００ｂを含む。放送受信装置１００ａおよび１００ｂは、ネットワークの一例としてのインターネット３０に接続可能に構成されており、インターネット３０を介して互いに電子メールをやり取りする。本実施の形態の放送受信装置１００は携帯電話であり、図示しない携帯電話網を介してインターネット３０に接続する。本実施の形態では、ある放送受信装置１００ａのユーザが、お勧めの番組に関する情報を電子メールにより他のユーザに送信したとき、その電子メールを受け取ったユーザが簡便な方法でその番組を視聴したり、視聴や録画の予約を行ったりすることを可能とする技術を提案する。
【００１４】
図２は、放送受信装置１００の内部構成を示す。放送受信装置１００は、受信部の一例としてのデジタル放送受信用のアンテナ１０２、チューナ１０４、分離部１０６、携帯電話用のアンテナ１１０、通信制御部１１２、オーディオデコーダ１３０、ビデオデコーダ１３２、ＣＰＵ１２０、グラフィックＬＳＩ１４０、スピーカ１５０、表示部１６０、指示部１７０を含む。
【００１５】
アンテナ１０２が受信した放送波は、チューナ１０４により選局され、分離部１０６により音声、映像、データの各コンポーネントに分離される。音声コンポーネントのデータは、オーディオデコーダ１３０によりデコードされてスピーカ１５０に出力される。映像コンポーネントのデータは、ビデオデコーダ１３２によりデコードされ、グラフィックＬＳＩ１４０により表示のための各種処理が施されて、表示部１６０に出力される。データコンポーネントのデータは、ＣＰＵ１２０により処理され、必要に応じてグラフィックＬＳＩ１４０により映像に重畳され、表示部１６０に表示される。たとえば、ＣＰＵ１２０により実現される主制御部２００の番組情報提示部２０６は、ユーザから指示部１７０などを介して電子番組表の表示要求があると、放送波から番組配列情報を取得し、ＥＰＧを生成して表示部１６０に表示する。ここでは、番組を選局して表示部１６０およびスピーカ１５０に出力する、チューナ１０４、分離部１０６、オーディオデコーダ１３０、ビデオデコーダ１３２、グラフィックＬＳＩ１４０、およびそれらを統括的に制御するＣＰＵ１２０などの構成が、再生部の機能を担う。
【００１６】
主制御部２００は、放送受信装置１００の各構成を統括的に制御する。また、主制御部２００は、本実施の形態の電子メール送受信機能を制御する。メール送信ユニット２０２は、指示部１７０を介したユーザからの指示を受け、番組に関する情報を含む電子メールを生成して送信する。メール受信ユニット２０４は、番組に関する情報を含む電子メールを受信し、その番組の選局、視聴予約、録画予約などの制御を行う。通信制御部１１２は、携帯電話網を介した電子メールや通話音声などの送受信を制御する。電子メールのデータなどを含むパケットや通話音声データは、携帯電話用のアンテナ１１０を介して送受信される。
【００１７】
図３は、メール送信ユニット２０２の内部構成を示す。この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。メール送信ユニット２０２は、ユーザから電子メールの送信要求を受け付ける送信要求受付部２１０、送信要求を受けて番組に関する情報を含む電子メールを生成するメール生成部２１２、および生成した電子メールを送信するメール送信部２１４を含む。
【００１８】
図４は、ユーザが番組視聴中に電子メールの送信要求を行ったときのメール送信ユニット２０２の動作を示すフローチャートである。ユーザが番組を視聴している間、送信要求受付部２１０は、ユーザが指示部１７０により電子メールの送信要求を行うまで待機する（Ｓ１００のＮ）。ユーザが送信要求を行うと（Ｓ１００のＹ）、電子メールへ貼り付ける情報が、サービスに関する情報なのか、イベントに関する情報なのかを判断する（Ｓ１０２）。貼り付ける情報の種別は、ユーザが電子メールの送信要求を行うときに指示部１７０により指定できるようにしてもよいし、送信要求受付部２１０が送信要求を受け付けたときにユーザに問い合わせてもよいし、送信要求受付部２１０が自動的に判断してもよい。
【００１９】
貼り付け対象がサービスに関する情報であった場合、メール生成部２１２は、番組配列情報の中からユーザが視聴中のサービスの番組情報を取得する（Ｓ１０４）。貼り付け対象がイベントに関する情報であった場合、メール生成部２１２は、番組配列情報の中からユーザが視聴中のイベントの番組情報を取得する（Ｓ１０６）。つづいて、メール生成部２１２は、取得した番組情報を含む電子メールを新規に作成して（Ｓ１０８）、表示部１６０によりユーザへ提示する。メール生成部２１２は、指示部１７０を介したユーザからの操作を受けて電子メールを編集し（Ｓ１１０）、ユーザに指定された宛先情報を設定する（Ｓ１１２）。メール送信部２１４は、メール生成部２１２が生成した電子メールを、通信制御部１１２を介して送信する（Ｓ１１４）。
【００２０】
図５は、ユーザがＥＰＧ表示中に電子メールの送信要求を行ったときのメール送信ユニット２０２の動作を示すフローチャートである。ユーザがＥＰＧを表示している間、送信要求受付部２１０は、ユーザが指示部１７０を介して電子メールの送信要求を行うまで待機する（Ｓ１２０のＮ）。ユーザが送信要求を行うと（Ｓ１２０のＹ）、電子メールへ貼り付ける情報が、サービスに関する情報なのか、イベントに関する情報なのかを判断する（Ｓ１２２）。貼り付ける情報の種別は、ユーザが電子メールの送信要求を行うときに指示部１７０により指定できるようにしてもよいし、送信要求受付部２１０が送信要求を受け付けたときにユーザに問い合わせてもよいし、送信要求受付部２１０が自動的に判断してもよい。
【００２１】
貼り付け対象がサービスに関する情報であった場合、メール生成部２１２は、番組配列情報の中からユーザがＥＰＧで選択中のサービスの番組情報を取得する（Ｓ１２４）。貼り付け対象がイベントに関する情報であった場合、メール生成部２１２は、番組配列情報の中からユーザがＥＰＧで選択中のイベントの番組情報を取得する（Ｓ１２６）。つづいて、メール生成部２１２は、取得した番組情報を含む電子メールを新規に作成して（Ｓ１２８）、表示部１６０によりユーザへ提示する。さらに、メール生成部２１２は、指示部１７０を介したユーザからの操作を受けて電子メールを編集し（Ｓ１３０）、ユーザに指定された宛先情報を設定する（Ｓ１３２）。メール送信部２１４は、メール生成部２１２が生成した電子メールを、通信制御部１１２を介して送信する（Ｓ１３４）。
【００２２】
上記の方法によれば、ユーザは番組の情報を自身で入力する必要がなく、番組の視聴中、またはＥＰＧの表示中にメール送信を指示するだけで、自動的にその番組の情報が電子メールに貼り付けられる。これにより、ユーザの利便性を向上させることができる。
【００２３】
図６は、メール生成部２１２により生成されたテキスト形式の電子メールの例を示す。電子メール３００には、ユーザが視聴中またはＥＰＧで選択した番組情報３０２が貼り付けられている。図６の例では、サービス識別「７８０ＣＨ」、サービス名「××放送」、イベント名「ミュージックアワー」、イベントのＵＲＬ「ａｒｉｂ：／／０１ＡＦ．１Ｅ５Ｂ．０３０Ｃ．２Ｄ４６」、放送日時「２００２年１２月２５日（水）１９時００分から２０時００分まで」、などの情報が番組情報として添付されている。
【００２４】
図７は、メール生成部２１２により生成されたＨＴＭＬ（ＨｙｐｅｒＴｅｘｔ  Ｍａｒｋｕｐ  Ｌａｎｇｕａｇｅ）形式の電子メールの例を示す。電子メール３１０には、ユーザが視聴中またはＥＰＧで選択した番組情報３１２が貼り付けられている。イベント名「ミュージックアワー」には、ＨＴＭＬのアンカータグにより、イベントのＵＲＬへのリンクが張られている。後述するように、この電子メールを受け取った放送受信装置１００は、ユーザがイベント名に設定されたリンクをクリックすると、アンカータグに記述されたＵＲＬにより識別されるイベントを選局、視聴予約、または録画予約する。
【００２５】
図８は、メール受信ユニット２０４の内部構成を示す。これらの機能ブロックも、ハードウエアのみ、ソフトウエアのみ、またはそれらの組合せによっていろいろな形で実現できる。メール受信ユニット２０４は、電子メールを受信するメール受信部２２０、受信した電子メールを表示部１６０に提示する提示部２２２、ユーザから電子メールに貼り付けられている番組情報の選択要求を受け付ける選択受付部２２４、および選択された番組を提示したり、視聴予約や録画予約を行ったりする処理を行う処理部２２６を含む。提示部２２２は、受信した電子メールを提示するときに、電子メールに貼り付けられている番組情報を選択可能に提示する。複数の番組情報が貼り付けられている場合は、指示部１７０の方向キーなどによりユーザが所望の番組を選択できるようにする。このとき、番組情報を他の本文とは異なる色で提示したり、下線を付したりして、選択可能であることをユーザに示してもよい。また、選択中の番組情報を反転表示するなどして、選択中であることをユーザに示してもよい。選択受付部２２４は、指示部１７０の確定キーなどにより、ユーザから選択の確定の指示を受け付ける。
【００２６】
図９は、ユーザがイベントに関する情報を含む電子メールを受信したときのメール受信ユニット２０４の動作を示すフローチャートである。メール受信部２２０が電子メールを受信すると、提示部２２２が表示部１６０にその電子メールを提示する。電子メールの表示中、選択受付部２２４は、ユーザが指示部１７０を介してイベントに関する情報を選択するまで待機する（Ｓ１４０のＮ）。ユーザが、指示部１７０の方向キーなどによりイベントを選択し、確定キーなどにより選択を確定すると（Ｓ１４０のＹ）、処理部２２６は、選択されたイベントを含む番組配列情報を放送から取得する（Ｓ１４２）。番組配列情報が取得できなかったときは（Ｓ１４４のＮ）、リンクできない旨のエラー表示を行い（Ｓ１４６）、処理を終了する。
【００２７】
番組配列情報を取得すると（Ｓ１４４のＹ）、処理部２２６は、該当するイベントが現在放送中の番組か、未来に放送予定の番組かを判断する（Ｓ１４８）。イベントが現在放送中であれば（Ｓ１４８の「現在」）、処理部２２６は、そのイベントを選局するようチューナ１０４を制御し、選択された番組を再生する（Ｓ１５２）。イベントが未来に放送予定であれば（Ｓ１４８の「未来」）、処理部２２６は、そのイベントの情報を含むＥＰＧを表示部１６０に表示する（Ｓ１５０）。ここで、ユーザが指示部１７０により、その番組の視聴予約を要求すると（Ｓ１５４のＹ）、処理部２２６は、視聴予約を実行する（Ｓ１５６）。主制御部２００は、その番組の開始時刻になると、自動的にそのイベントのサービスを選局してユーザに提示するよう他の構成部材を制御する。ユーザがその番組の録画予約を要求したときは、処理部２２６は、録画予約を実行し、主制御部２００は、その番組の開始時刻になると、自動的にそのイベントのサービスを選局して、図示しない記録媒体に番組を録画するよう他の構成部材を制御してもよい。ユーザがイベントの選択を確定したときに、そのイベントを選局するか、視聴予約するか、録画予約するかをユーザに選択させるためのメニュー画面を提示し、ユーザから指示を受け付けてもよい。ユーザが選択したイベントが現在放送中の番組であった場合も、まずユーザにＥＰＧを提示し、ユーザから選局の指示があると、そのイベントのサービスを選局してもよい。
【００２８】
図１０は、ユーザがサービスに関する情報を含む電子メールを受信したときのメール受信ユニット２０４の動作を示すフローチャートである。メール受信部２２０が電子メールを受信すると、提示部２２２が表示部１６０にその電子メールを提示する。電子メールの表示中、選択受付部２２４は、ユーザが指示部１７０を介してサービスに関する情報を選択するまで待機する（Ｓ１６０のＮ）。ユーザが、指示部１７０の方向キーなどによりサービス情報を選択し、確定キーなどにより選択を確定すると（Ｓ１６０のＹ）、処理部２２６は、選択されたサービスを含む番組配列情報を放送から取得する（Ｓ１６２）。番組配列情報が取得できなかったときは（Ｓ１６４のＮ）、リンクできない旨のエラー表示を行い（Ｓ１６６）、処理を終了する。番組配列情報を取得すると（Ｓ１６４のＹ）、処理部２２６は、そのサービスを選局するようチューナ１０４を制御し、選択されたサービスの番組を提示する（Ｓ１６８）。処理部２２６は、番組配列情報を取得せずに、単に選択されたサービスを選局してもよい。処理部２２６は、取得した番組配列情報をユーザに提示し、ユーザが選局を要求したときに、そのサービスを選局してもよい。
【００２９】
なお、番組配列情報は、選局中のサービスの番組に関する情報のみが放送される場合と、全てのサービスの番組に関する情報が放送される場合がある。前者の場合、電子メールに添付されたイベントまたはサービスが、ユーザが現在選局中のサービスと異なる場合、番組配列情報を取得するときに、まず該当するサービスを選局する必要がある。この場合、ユーザが視聴予約または録画予約を行ったあと、ユーザが視聴していた元のサービスを選局してもよい。提示部２２２が電子メールを提示するのに先立って、電子メールに添付された番組情報のサービスを選局して、番組配列情報を取得して保持しておいてもよい。この場合も、番組配列情報の取得後、ユーザが視聴していた元のサービスを選局してもよい。
【００３０】
図１１は、図６に示したテキスト形式の電子メール３００を受信した放送受信装置１００の提示部２２２が、表示部１６０に提示した電子メールの表示画面３２０の例を示す。表示画面３２０には、電子メール３００の内容が提示されており、番組情報３０２のうち、イベントのＵＲＬ３２２には下線が付されている。ユーザは、指示部１７０を介して、このＵＲＬ３２２を選択可能であり、ＵＲＬ３２２を選択した状態で、指示部１７０により選択を確定すると、処理部２２６が、このＵＲＬで識別されるイベントの番組情報の提示、選局、視聴予約、録画予約などの処理を行う。
【００３１】
図１２は、図７に示したＨＴＭＬ形式の電子メール３１０を受信した放送受信装置１００の提示部２２２が、表示部１６０に提示した電子メールの表示画面３３０の例を示す。表示画面３３０には、電子メール３１０の内容が提示されている。番組情報のうち、イベント名３３２には、アンカータグによりイベントのＵＲＬへのリンクが設定されている。ユーザが指示部１７０を介してイベント名３３２をクリックすると、処理部２２６が、リンク先のＵＲＬで識別されるイベントの番組情報の提示、選局、視聴予約、録画予約などの処理を行う。
【００３２】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００３３】
実施の形態では、携帯電話の例を示したが、本発明は、放送受信機能と電子メールの送受信機能を有する任意の装置に適用可能である。
【００３４】
【発明の効果】
本発明によれば、放送される番組に関する情報をユーザ間で伝達する際の利便性を高める技術を提供することができる。
【図面の簡単な説明】
【図１】実施の形態に係る放送システムの全体構成を示す図である。
【図２】実施の形態に係る放送受信装置の内部構成を示す図である。
【図３】実施の形態に係るメール送信ユニットの内部構成を示す図である。
【図４】ユーザが番組視聴中に電子メールの送信要求を行ったときの電子メール送信ユニットの動作を示すフローチャートである。
【図５】ユーザがＥＰＧ表示中に電子メールの送信要求を行ったときの電子メール送信ユニットの動作を示すフローチャートである。
【図６】メール生成部により生成されたテキスト形式の電子メールの例を示す図である。
【図７】メール生成部により生成されたＨＴＭＬ形式の電子メールの例を示す図である。
【図８】実施の形態に係るメール受信ユニットの内部構成を示す図である。
【図９】ユーザがイベントに関する情報を含む電子メールを受信したときのメール受信ユニットの動作を示すフローチャートである。
【図１０】ユーザがサービスに関する情報を含む電子メールを受信したときのメール受信ユニットの動作を示すフローチャートである。
【図１１】図６に示したテキスト形式の電子メールを表示部に提示した表示画面の例を示す図である。
【図１２】図７に示したＨＴＭＬ形式の電子メール表示部に提示した表示画面の例を示す図である。
【符号の説明】
１０・・・放送システム、１００・・・放送受信装置、１６０・・・表示部、１７０・・・指示部、２００・・・主制御部、２０２・・・メール送信ユニット、２０４・・・メール受信ユニット、２０６・・・番組情報提示部、２１０・・・送信要求受付部、２１２・・・メール生成部、２１４・・・メール送信部、２２０・・・メール受信部、２２２・・・提示部、２２４・・・選択受付部、２２６・・・処理部。
【図１】
2004304428.tif 000003
【図２】
2004304428.tif 000004
【図３】
2004304428.tif 000005
【図４】
2004304428.tif 000006
【図５】
2004304428.tif 000007
【図６】
2004304428.tif 000008
【図７】
2004304428.tif 000009
【図８】
2004304428.tif 000010
【図９】
2004304428.tif 000011
【図１０】
2004304428.tif 000012
【図１１】
2004304428.tif 000013
【図１２】
2004304428.tif 000014